(57)【特許請求の範囲】
【請求項１】
内容物が収容される容器本体と、前記容器本体から脱離できるよう結合され、前記容器本体に収容された内容物を定量吸入して排出するスポイドパイプが備えられるスポイド部を含む液体容器用定量吐出装置において
前記容器本体の上部を覆って結合されるが、上部には、前記スポイド部が結合される結合部が形成され、前記結合部の内側には、前記スポイドパイプが挿入・引出されることができるよう前記容器本体の内部に形成され内側下端に内容物流入ホールが形成された内容物吸入管が備えられる支持体；
前記内容物吸入管の内側下端に設置され前記内容物流入ホールを通じて流入する内容物が前記スポイドパイプのみに移動するようガイドするシーリング部材；および
前記容器本体内で内容物の使用によって移動するピストン；を含み、
前記スポイド部は、
前記内容物吸入管に挿入・引出され、前記内容物吸入管に流入する内容物を吸入するスポイドパイプ；
前記結合部にネジ結合され、上端両側にボタン部を昇下降させるガイド部が形成される内キャップ；
前記内キャップを覆って結合され、使用者操作によって内キャップと共に回転し、ボタン部の垂直移動をガイドするよう内周面に長手方向へ垂直ガイド溝が形成される外キャップ；および
前記外キャップの回転によって上昇し、使用者加圧によって下降するが、前記内キャップのガイド部に沿って昇下降するガイド突起が備えられるボタン部；を含むことを特徴とする液体容器用定量吐出装置。
【請求項２】
請求項１において、
前記内キャップの中央部には、前記スポイドパイプの上部が挿入、結合され、スポイドパイプを内キャップに固定するパイプ固定部が備えられることを特徴とする液体容器用定量吐出装置。
【請求項３】
請求項１において、
前記ガイド部は前記ガイド突起の上昇をガイドするよう傾斜面を形成する上昇ガイド面と、前記上昇ガイド面と対向するよう傾斜面を形成し前記ガイド突起の下降をガイドする下降ガイド面および前記上昇ガイド面と下降ガイド面の間に位置して前記ガイド突起が下降した状態でガイド突起が安着する安着面で構成されることを特徴とする液体容器用定量吐出装置。
【請求項４】
請求項３において、
前記上昇ガイド面の末端には、水平方向に延長され、前記ガイド突起を支持し、ボタン部の下側方向移動を制限する制限段が形成されることを特徴とする液体容器用定量吐出装置。
【請求項５】
請求項１において、
前記ボタン部の内側上端中央部には、下側方向に突出形成されるプランジャーティプ（ＰｌｕｎｇｅｒＴｉｐ）支持棒が備えられるが、前記プランジャーティプ（ＰｌｕｎｇｅｒＴｉｐ）支持棒には、スポイドパイプ内で上下に移動し  、スポイドパイプ内で圧力変化を通じて内容物を吸入もしくは排出するプランジャーティプ（ＰｌｕｎｇｅｒＴｉｐ）が結合されることを特徴とする液体容器用定量吐出装置。
【発明の詳細な説明】
【技術分野】
【０００１】
本発明は、液体容器用定量吐出装置に関するもので、より詳細には、スポイドパイプが挿入・引出されることが出来るよう容器本体の内部へ延長形成する内容物吸入管が備えられ、スポイドパイプ部の下端部のみ内容物に露出されるよう構成することで、スポイドパイプの汚染を防止することのみならず、容器本体内に内容物の使用によって上昇するピストンが備えられることで、容器本体内に残留する内容物を最小化させることが出来る液体容器用定量吐出装置に関するものである。
【背景技術】
【０００２】
一般的にアイクリームなど、一回毎に少量使用するが、定量使用が望ましい化粧品など、液体状の内容物を使用する方法であり、従来は各使用する度、使用する量のみをカプセルの形で個別包装する方式が使用された。しかし、このような個別包装方式は、使用者が内容物を使用した後にも比較的多くの量がカプセル内部に残る為、極めて非効率という問題があった。
【０００３】
このような個別包装方式の問題を解決する為、内容物を容器に収容した後、一般的スポイドもしくは注射器構造の引出手段を使用したり、プッシュポンプ（ｐｕｓｈ  ｐｕｍｐ）の構成を有する引出手段を使用し、使用する度に内容物を引出して使用する構成が考案された。
【０００４】
しかし、一般的にスポイド構造の引出手段の場合、ゴムからなる圧着部を使用者が押す程度により吸入・引出される量が変動する為、その度に正確に一定量を引出されることが容易ではない問題があった。
【０００５】
前記のような問題を解決する為、一定量の内容物を引出して使用することができるよう構成された「液体容器用定量吐出装置」（特許文献１）が本出願人により提案された場合がある。
【０００６】
前記特許は、容器本体（１００）に内キャップ（２００）を結合する際にスプリング（８００）が収縮され、内キャップ（２００）を脱離の際にスプリング（８００）が弛緩し、スポイドパイプ（７００）の内部に内容物が流入する構造を設計することで、別途の操作せず簡単に内容物を一定量引出して使用可能なことを特徴とする。
【０００７】
しかし、前記登録特許は、スポイドパイプ（７００）全体が容器本体（１００）の内部に挿入・引出される構造である為、容器本体（１００）に収容された内容物によりスポイドパイプ（７００）の汚染が発生することのみならず、内容物を大部分を使用した場合、容器本体（１００）の壁面に残留する内容物は吸入することが困難な構造である為、残留量が多く発生する問題があった。
【０００８】
なお、内容物の使用後、スプリング（８００）によりボタン部（４００）が復元（修復）される構造であり、スポイドパイプ（７００）の内部に内容物を再吸入する為、内キャップ（２００）を結合してボタン部（４００）を下側方向へ移動させて内キャップ（２００）を脱離する際にボタン部（４００）を上側方向へ移動させる必要があるなど、その構造が複雑な点があった。
【先行技術文献】
【特許文献】
【０００９】
【特許文献１】韓国登録特許第１０−１１９２１７６号
【発明の概要】
【発明が解決しようとする課題】
【００１０】
本発明の技術的課題は、上述した問題を解決しようと案出されたもので、本発明の目的は、スポイドパイプが挿入・引出されることができるよう容器本体の内部に延長形成する内容物吸入管が備えられ、スポイドパイプ部の下端部のみ内容物に露出されるよう構成することで、スポイドパイプの汚染を防止することのみならず、容器本体内に内容物の使用により上昇するピストンが備えられることで、容器本体内に残留する内容物を最小化させる液体容器用定量吐出装置を提供する。
【００１１】
なお、結合部にスポイド部を結合の際、内キャップに形成されたガイド部に沿ってボタンが上昇し、容器本体に収容された内容物をスポイドパイプ内に吸入するよう構造を設計することで、スプリングが備えられなくても簡単な構造を通じて内容物を吸入することができる液体容器用定量吐出装置を提供する。
【課題を解決するための手段】
【００１２】
前記のような問題を解決する為、本発明による液体容器用定量吐出装置は、内容物は収容される容器本体と、前記容器本体から脱離できるよう結合され、前記容器本体に収容された内容物を定量吸入して排出するスポイドパイプが備えられるスポイド部を含む液体容器用定量吐出装置において、
前記容器本体の上部を覆って結合されるが、上部には、前記スポイド部が結合される結合部を形成し、前記結合部の内側には、前記スポイドパイプが挿入・引出されることができるよう前記容器本体の内部に延長形成され、内側の下端に内容物流入ホールが形成された内容物吸入管が備えられる支持体；前記内容物吸入管の内側下端に設置されて前記内容物流入ホールを通じて流入する内容物が前記スポイドパイプのみに移動されるようガイドするシーリング部材；および前記容器本体内に内容物の使用により移動するピストン；を含むことを特徴とする。
【００１３】
なお、前記スポイド部は、前記内容物吸入管へ挿入・引出され、前記内容物吸入管へ流入する内容物を吸入するスポイドパイプ；前記結合部にネジ結合され、上端両側にボタン部を昇下降させるガイド部が形成される内キャップ；前記内キャップを覆って結合され使用者操作によって内キャップと共に回転するが、ボタン部の垂直移動をガイドするよう内周面に長手方向へ垂直ガイド溝が形成される外キャップ；および前記外キャップの回転によって上昇してから使用者加圧によって下降され、前記内キャップのガイド部に沿って昇下降するガイド突起が備えられるボタン部；を含むことを特徴とする。
【００１４】
なお、前記内キャップの中央部には、前記スポイドパイプの上部が挿入して結合され、スポイドパイプを内キャップに固定させるパイプ固定部が備えられることを特徴とする。
【００１５】
なお、前記ガイド部は、前記ガイド突起の上昇をガイドするよう傾斜面を形成する上昇ガイド面と、前記上昇ガイド面と対向になるよう傾斜面を形成し、前記ガイド突起の下降をガイドする下降ガイド面および前記上昇ガイド面と下降ガイド面の間に位置して前記ガイド突起が下降した状態でガイド突起が安着する安着面で構成されることを特徴とする。
【００１６】
なお、前記上昇ガイド面の末端には、水平方向に延長して、前記ガイド突起を支持してボタン部の下側方向移動を制限する制限段が形成されることを特徴とする。
【００１７】
なお、前記ボタン部の内側上端中央部には、下側方向に突出形成するプランジャーティプ（ＰｌｕｎｇｅｒＴｉｐ）支持棒が備えられるが、前記プランジャーティプ（ＰｌｕｎｇｅｒＴｉｐ）支持棒には、スポイドパイプ内で上下に移動し、スポイドパイプ内に圧力変化を通じて内容物を吸入もしくは排出するプランジャーティプ（ＰｌｕｎｇｅｒＴｉｐ）が結合されることを特徴とする。
【発明の効果】
【００１８】
以上、上述したように本発明によると、スポイドパイプが挿入・引出されることができるよう容器本体の内部に延長形成する内容物吸入管が備えられ、スポイドパイプ部の下端部のみ内容物に露出されるよう構成することで、スポイドパイプの汚染を防止することのみならず、容器本体内に内容物の使用によって上昇するピストンが備えられることで、容器本体内に残留する内容物を最小化させる長所を有する。
【００１９】
なお、結合部にスポイド部を結合する際、内キャップに形成したガイド部に沿ってボタンが上昇して容器本体に収容された内容物をスポイドパイプ内に吸入するよう構造を設計することで、スプリングが備えられなくても簡単な構造を通じて内容物を吸入することができる長所を有する。
【図面の簡単な説明】
【００２０】
【図１】本発明の望ましい実施例に係る液体容器用定量吐出装置の構成を示す分解斜視図。
【図２】本発明の望ましい実施例に係る液体容器用定量吐出装置の構成を示す分解断面図。
【図３】本発明の望ましい実施例に係る液体容器用定量吐出装置の構成を示す結合斜視図。
【図４】本発明の望ましい実施例に係る液体容器用定量吐出装置の構成を示す結合断面図。
【図５】本発明の望ましい実施例に係る液体容器用定量吐出装置の内キャップ、ボタン部および外キャップの結合状態を示す説明図。
【図６】本発明の望ましい実施例に係る液体容器用定量吐出装置のスポイド部内容物吸入過程を示す説明図。
【図７】本発明の望ましい実施例に係る液体容器用定量吐出装置のスポイド部内容物吸入過程を示す説明図。
【図８】本発明の望ましい実施例に係る液体容器用定量吐出装置のスポイド部を通じた内容物の排出過程を示す説明図。
【図９】本発明の望ましい実施例に係る液体容器用定量吐出装置のスポイド部を通じた内容物の排出過程を示す説明図。
【発明を実施するための形態】
【００２１】
以下、図面を参照して本発明を詳細に説明する。各図面に提示された同様の参照符号は同様の部材を示す。
【００２２】
図１は、本発明の望ましい実施例に係る液体容器用定量吐出装置の構成を示す分解斜視図であり、図２は、本発明の望ましい実施例に係る液体容器用定量吐出装置の構成を示す分解断面図である。
【００２３】
図３は、本発明の望ましい実施例に係る液体容器用定量吐出装置の構成を示す結合斜視図であり、図４は、本発明の望ましい実施例に係る液体容器用定量吐出装置の構成を示す結合断面図であり、図５は、本発明の望ましい実施例に係る液体容器用定量吐出装置の内キャップ、ボタン部および外キャップの結合状態を示す説明図である。
【００２４】
図１乃至５を参照すると、本発明の望ましい実施例に係る液体容器用定量吐出装置は、容器本体（１００）、スポイド部（２００）、支持体（３００）が含まれる。
【００２５】
前記容器本体（１００）は、内容物が収容されるものであり、内側には、内容物の使用により上昇するピストン（１１０）が備えられる。本発明において、前記容器本体（１００）の内部には、ピストン（１１０）が備えられることで、容器本体（１００）の内壁に残留する内容物を最小化させることを特徴とする。
【００２６】
前記スポイド部（２００）は、前記容器本体（１００）から脱離できるよう結合され、前記容器本体（１００）に収容された内容物を定量吸入して排出するものであり、スポイドパイプ（２１０）、内キャップ（２２０）、外キャップ（２３０）、ボタン部（２４０）を含む。
【００２７】
前記スポイドパイプ（２１０）は下端部が開放形成され、後述した内容物吸入管（３２０）に流入する内容物を吸入するもので、容器本体（１００）にスポイド部（２００）を結合する際、内容物吸入管（３２０）に挿入され、内容物流入ホール（３２１）を通じて内容物吸入管（３２０）に流入する内容物を吸入・保管し、容器本体（１００）からスポイド部（２００）の脱離の際、内容物吸入管（３２０）から引出され、ボタン部（２４０）の加圧により保管された内容物を外部へ排出する。
【００２８】
前記スポイドパイプ（２１０）の下端部は、内容物吸入管（３２０）に挿入する際、内容物吸入管（３２０）の内側下端に位置するシーリング部材（３２２）に締結されるよう構成する。これにより、内容物流入ホール（３２１）を通じて流入した内容物がスポイドパイプ（２１０）の開放された下端部のみへ流入可能になる。
【００２９】
前記内キャップ（２２０）は、支持体（３００）の結合部（３１０）にネジ結合されるものであり、本発明において、前記内キャップ（２２０）の上端両側には、ボタン部（２４０）を昇下降させるガイド部（２２１）が形成されることを特徴とする。
【００３０】
前記ガイド部（２２１）は、後述するガイド突起（２４１）の上昇をガイドするよう傾斜面を形成する上昇ガイド面（２２１ａ）と、前記上昇ガイド面（２２１ａ）と対向になるよう傾斜面を形成し前記ガイド突起（２４１）の下降をガイドする下降ガイド面（２２１ｂ）および前記上昇ガイド面（２２１ａ）と下降ガイド面（２２１ｂ）の間に位置して前記ガイド突起（２４１）が下降した状態でガイド突起（２４１）が安着する安着面（２２１ｃ）で構成される。
【００３１】
前記ガイド部（２２１）は、回転体（２２０）の片側回転の際、ガイド突起（２４１）が上昇ガイド面にそって上方向へ移動するようガイドしてボタン部（２４０）を上昇させることになり、前記上昇ガイド面（２２１ａ）の末端には、水平方向に延長されてガイド突起（２４１）を支持し、ボタン部（２４０）が上昇した状態で下側方向移動を制限する制限段（２２２）が形成される。
【００３２】
なお、前記ガイド部（２２１）は、ガイド突起（２４１）が下降ガイド面（２２１ｂ）の上部に位置した状態で使用者がボタン部（２５０）を加圧する際、ガイド突起（２４１）が下降ガイド面（２２１ｂ）に沿って下側方向に移動するようガイドしてボタン部（２５０）を下降させる。
【００３３】
一方、前記内キャップ（２２０）の下部には、外周面を覆って外キャップ（２３０）の結合溝（２３１）に結合する結合突起（２２４）が備えられる。
【００３４】
一方、前記内キャップ（２２０）の中央部には、スポイドパイプ（２１０）を内キャップ（２２０）に固定するパイプ固定部（２２３）が備えられる。前記パイプ固定部（２２３）は、スポイドパイプ（２１０）の上部を覆って結合するスポイド部（２００）が支持体（３００）の結合部（３１０）から分離された状態で、スポイドパイプ（２１０）が内キャップ（２２０）から脱離することを防止する。前記パイプ固定部（２２３）の中央部には、プランジャーティプ（ＰｌｕｎｇｅｒＴｉｐ）支持棒（２４２）が貫通されることが出来るよう貫通ホール（２２５）が形成される。
【００３５】
前記外キャップ（２３０）は、前記内キャップ（２２０）を覆って結合され使用者操作により内キャップ（２２０）と共に回転するもので、ボタン部（２４０）の垂直移動をガイドするよう内周面に長手方向に垂直ガイド溝（２３２）が形成される。
【００３６】
前記垂直ガイド溝（２３２）には、ボタン部（２４０）のガイド突起（２４１）が結合されて、外キャップ（２３０）の回転の際、ボタン部（２４０）のガイド突起（２４１）が垂直移動するよう案内する。
【００３７】
一方、前記外キャップ（２４０）の下部には、前記結合突起（２２４）と結合する結合溝（２３１）が形成される。
【００３８】
前記ボタン部（２４０）は、前記外キャップ（２４０）の回転により上昇ガイド面（２２１ａ）に沿って上昇し、使用者加圧により下降ガイド面（２２１ｂ）に沿って下降するもので、該側面に前記内キャップ（２２０）のガイド部（２２１）に沿って移動するガイド突起（２４１）が備えられる。
【００３９】
前記ボタン部（２４０）は、使用者加圧によりスポイドパイプ（２１０）内部に吸入された内容物を外部へ排出させることとなり、この為、前記ボタン部（２４０）の内側上端中央部には下側方向へ突出形成され、プランジャーティプ（ＰｌｕｎｇｅｒＴｉｐ）（２４３）が結合されるプランジャーティプ（ＰｌｕｎｇｅｒＴｉｐ）支持棒（２４２）が備えられる。
【００４０】
前記プランジャーティプ（ＰｌｕｎｇｅｒＴｉｐ）支持棒（２４２）の下部には、プランジャーティプ（ＰｌｕｎｇｅｒＴｉｐ）（２４３）が結合されることで、使用者がボタン部（２４０）の上端を加圧する際、プランジャーティプ（ＰｌｕｎｇｅｒＴｉｐ）（２４３）がプランジャーティプ（ＰｌｕｎｇｅｒＴｉｐ）支持棒（２４２）によりスポイドパイプ（２１０）内で下側方向へ移動してスポイドパイプ（２１０）内の圧力を変化させ、スポイドパイプ（２１０）内に吸入された内容物を排出させる。
【００４１】
一方、外キャップ（２３０）の回転によってボタン部（２４０）が上昇の際、前記プランジャーティプ（ＰｌｕｎｇｅｒＴｉｐ）支持棒（２４２）およびプランジャーティプ（ＰｌｕｎｇｅｒＴｉｐ）（２４３）の上側方向移動によりスポイドパイプ（２１０）内の圧力が変化し、容器本体（１００）に収容された内容物をスポイドパイプ（２１０）の内部に吸入することになる。
【００４２】
前記支持体（３００）は、前記容器本体（１００）の上部を覆って結合され容器本体（１００）内部を密閉させるものであり、該上部に前記スポイド部（２００）が結合されるよう内キャップ（２２０）とネジ結合する結合部（３１０）が形成される。
【００４３】
本発明において、前記結合部（３１０）の内側には、前記スポイドパイプ（２１０）が挿入・引出されることができるよう前記容器本体（１００）の内部に延長形成する内容物吸入管（３２０）が備えられることを特徴とする。記内容物吸入管（３２０）の下端には、スポイド部（２００）を利用して容器本体（１００）に収容された内容物吸入の際、容物が流入するよう内容物流入ホール（３２１）が形成される。
【００４４】
一方、前記内容物吸入管（３２０）の内側下端には、前記内容物流入ホール（３２１）を通じて流入する内容物がスポイドパイプ（２１０）のみに移動するようガイドするシーリング部材（３２２）が内容物吸入管（２３０）の内周面に密着するよう設置され、前記シーリング部材（３２２）は、スポイドパイプ（２１０）が内容物吸入管（３２０）に挿入される際、スポイドパイプ（２１０）の下部を覆って締結するよう構成されることで、スポイドパイプ（２１０）を除いた他方に内容物が移動することを防ぐ。
【００４５】
以下では、図６乃至９を参照しながら、本発明の液体容器用定量吐出装置の使用方法を説明する。図６および７は、発明の望ましい実施例に係る液体容器用定量吐出装置のスポイド部の内容物吸入過程を示す説明図であり、図８および９は、発明の望ましい実施例に係る液体容器用定量吐出装置のスポイド部を通じた内容物の排出過程を示す説明図である。
【００４６】
図６乃至９を参照すると、本発明の望ましい実施例に係る液体容器用定量吐出装置の使用方法は、ボタン部（２４０）のガイド突起（２４１）が安着面（２２１ｃ）に安着した状態で使用者が外キャップ（２３０）を片側に回転させると外キャップ（２３０）を把持した加圧力により内キャップ（２２０）が共に加圧して回転することになる。これにより、内キャップ（２２０）が支持体（３００）の結合部（３１０）にネジ結合が行われる。
【００４７】
内キャップ（２２０）が結合部（３１０）にネジ結合が完了すると、内キャップ（２２０）がそれ以上の回転をせず、外キャップ（２３０）が独立的に回転することとなる。この際、内キャップ（２２０）に形成された上昇ガイド面（２２１ａ）に沿ってボタン部（２４０）のガイド突起（２４１）が上昇する。これにより、ボタン部（２４０）の上昇が行われる。
【００４８】
また、ボタン部（２４０）が上昇すると、ボタン部（２４０）のプランジャーティプ（ＰｌｕｎｇｅｒＴｉｐ）支持棒（２４２）下部に結合されたプランジャーティプ（ＰｌｕｎｇｅｒＴｉｐ）（２４３）が上昇することとなり、プランジャーティプ（ＰｌｕｎｇｅｒＴｉｐ）（２４３）が上昇することでスポイドパイプ（２１０）の内部圧力発生により内容物流入ホール（３２１）を通じて内容物吸入管（３２０）へ内容物の流入が行われ、内容物吸入管（３２０）に設置されたシーリング部材（３２２）により内容物流入ホール（３２１）を通じて流入する内容物がスポイドパイプ（２１０）の内部のみ吸入が行われる。この際、ボタン部（２４０）のガイド突起（２４１）は制限段（２２２）に安着する前記ボタン部（２４０）が下側方向に加圧されないよう構成される。
【００４９】
前記のように、スポイドパイプ（２１０）の内部に内容物の吸入が行われた状態で内容物を使用する為、スポイド部（２００）を結合部（３１０）から分離させるには外キャップ（２３０）を他方に回転すれば望ましい。外キャップ（２３０）を他方に回転する場合、最初には外キャップ（２３０）が独立的に回転し、ガイド突起（２４０）が下降ガイド面（２２１ｂ）の上死点に位置するガイド部（２２１）の内壁に相接する場合、ガイド突起（２４０）がガイド部（２２１）を加圧することで、外キャップ（２３０）の回転と共に内キャップ（２２０）を回転させる。これにより、内キャップ（２２０）が結合部（３１０）からネジ結合が解体され、スポイド部（２００）が結合部（３１０）から分離が行われる。
【００５０】
前記のように、スポイド部（２００）が結合部（３１０）から分離された状態でボタン部（２４０）を加圧すれば、ボタン部（２４０）の加圧突起が内キャップ（２２０）の下降ガイド面（２２１ｂ）を加圧する。これにより、内キャップ（２２０）の回転が行われ下降ガイド面（２２１ｂ）に沿ってガイド突起（２４１）が下降することになりボタン部（２４０）の下降が行われる。
【００５１】
ボタン部（２４０）の下降が行われば、該下部に結合されたプランジャーティプ（ＰｌｕｎｇｅｒＴｉｐ）（２４３）と共に下降することになる。これにより、内容物吸入管（３２０）に吸入された内容物の排出が行われる。
【００５２】
前記のような過程を通じて内容物の排出が行われれば、ガイド突起（２４１）が安着面（２２１ｃ）に安着した状態となり、この状態で外キャップ（２３０）を片側に回転して内キャップ（２２０）を結合部（３１０）にネジ結合させる場合、ガイド突起（２４１）が上昇ガイド面（２２１ａ）に沿って上部に移動してボタン部（２４０）を上昇させ、自動的にスポイドパイプ（２１０）の内部に内容物の吸入が行われる。
【００５３】
即ち、外キャップ（２３０）を回転し、内キャップ（２２０）を結合部（３１０）にネジ結合させる簡単な操作により次回に使用する為の内容物をスポイドパイプ（２１０）の内部に引出することができるようになった。
【００５４】
図面と明細書に最適実施例が開示された。これらにおける特定な用語が使用されたが、これは本発明を説明する為の使用であり、意味限定もしくは特許請求範囲で記載された本発明の範囲を制限する為に使用されたものではない。したがって本技術分野の通常知識を有する者であれば、この点から多様な変形および均等な他の実施例が可能であることを理解できる。したがって本発明の真の技術的保護範囲は添付された特許請求範囲の技術的思想によって定められるべきである。
【図１】
0006402944.tif 000002
【図２】
0006402944.tif 000003
【図３】
0006402944.tif 000004
【図４】
0006402944.tif 000005
【図５】
0006402944.tif 000006
【図６（ａ）】
0006402944.tif 000007
【図６（ｂ）】
0006402944.tif 000008
【図６（ｃ）】
0006402944.tif 000009
【図７（ａ）】
0006402944.tif 000010
【図７（ｂ）】
0006402944.tif 000011
【図７（ｃ）】
0006402944.tif 000012
【図８（ａ）】
0006402944.tif 000013
【図８（ｂ）】
0006402944.tif 000014
【図９（ａ）】
0006402944.tif 000015
【図９（ｂ）】
0006402944.tif 000016
【図９（ｃ）】
0006402944.tif 000017